(57)【要約】【課題】絶縁カバーの装着性を向上できる蓄電装置を提供すること。【解決手段】二次電池１０の絶縁カバー３５は、第２板部３８における端子接合部２８ｂに対向する第１端面３８ｂのうち、積層方向に沿って第２板部３８の突出端３８ａよりもタブ絶縁部３６寄りとなる位置に設けられたカバー側抜止部４０を有する。端子接合部２８ｂは、第２端面２８ｅのうち、積層方向の一端よりも積層方向の他端寄りとなる位置に設けられた端子側抜止部４１を備える。カバー側抜止部４０と端子側抜止部４１とは凹凸の掛止関係である。【選択図】図２
2019121586.tif 000002
【特許請求の範囲】
【請求項１】
正極と負極の電極が絶縁された状態で積層され、かつ各極の前記電極から突出したタブが同じ極性同士で積層されたタブ群を有する電極組立体と、
前記電極組立体を収容するケース部材、及び前記ケース部材の開口部を閉塞する板状の蓋部材を有するケースと、
前記蓋部材に固定され、前記電極組立体と電気を授受する各極の電極端子と、
前記蓋部材の内面と、前記タブ群が存在する前記電極組立体のタブ側端面との間に配置され、同じ極性の前記タブ群と接合された電極接合部を備えるとともに、同じ極性の前記電極端子と接合された端子接合部を備える各極性の導電部材と、
前記端子接合部と前記蓋部材とを絶縁する絶縁部材と、
前記タブ群と前記ケース部材とを絶縁する絶縁カバーと、
を備える蓄電装置であって、
前記絶縁カバーは、前記電極組立体における前記電極の積層方向の一端側において前記タブ群と前記ケース部材との間に介在する板状のタブ絶縁部と、
前記積層方向他端に向けて前記タブ絶縁部から突出し、かつ前記蓋部材と前記電極接合部の間に介在する第１板部と、
前記第１板部よりも前記電極組立体寄りに位置し、かつ前記積層方向の他端に向けて前記タブ絶縁部から突出し、前記端子接合部を前記電極組立体側から覆う第２板部と、
前記第２板部における前記端子接合部に対向する端面において、前記第２板部の突出端よりも前記積層方向に沿った前記タブ絶縁部寄りとなる位置に設けられたカバー側抜止部と、を有し、
前記端子接合部又は前記絶縁部材は、前記電極組立体側の端面において、前記積層方向の一端よりも前記積層方向の他端寄りとなる位置に設けられた端子側抜止部を備え、
前記カバー側抜止部と前記端子側抜止部とは凹凸の掛止関係で掛止していることを特徴とする蓄電装置。
【請求項２】
前記カバー側抜止部は、前記第２板部から前記第１板部に向けて突出した凸形状であり、前記端子側抜止部は、前記蓋部材に向けて凹む形状である請求項１に記載の蓄電装置。
【請求項３】
前記カバー側抜止部は、前記積層方向に沿って前記タブ絶縁部に近付くに従い、前記端面から上り傾斜する傾斜面を備える請求項２に記載の蓄電装置。
【請求項４】
前記カバー側抜止部及び前記端子側抜止部は、それぞれ前記積層方向の一端側となる位置に互いに掛止する掛止面を備える請求項２又は請求項３に記載の蓄電装置。
【請求項５】
前記端子側抜止部は、前記端子接合部又は前記絶縁部材における前記電極組立体側の端面のうち、前記積層方向に沿った中間位置、又は前記中間位置よりも前記積層方向の一端寄りに位置するように設けられている請求項１〜請求項４のうちいずれか一項に記載の蓄電装置。
【請求項６】
前記積層方向に沿った前記第２板部の寸法は、前記積層方向に沿った前記端子接合部の寸法より短い請求項１〜請求項５のうちいずれか一項に記載の蓄電装置。
【発明の詳細な説明】
【技術分野】
【０００１】
本発明は、タブ群とケース部材とを絶縁する絶縁カバーを備える蓄電装置に関する。
【背景技術】
【０００２】
従来から、ＥＶ（Electric Vehicle）やＰＨＶ（Plug in Hybrid Vehicle）などの車両には、走行用モータへの供給電力を蓄える蓄電装置としてリチウムイオン二次電池やニッケル水素二次電池などが搭載されている。
【０００３】
二次電池は、シート状の正極及び負極の電極が絶縁された状態で積層された電極組立体と、電極組立体を収容するケースとを備える。電極組立体は、電極の一辺の一部から突出したタブを同じ極性同士で寄せ集めたタブ群を有する。ケースは、有底筒状のケース部材と、ケース部材の開口部を閉塞する蓋部材とを有する。二次電池は、電極組立体と電気を授受する電極端子を備えるとともに、電極端子と蓋部材とを絶縁する絶縁部材を備える。なお、電極端子は、蓋部材に固定されている。二次電池は、電極端子と電極組立体のタブ群とを接続する導電部材を備えている。
【０００４】
また、上記のような二次電池の製造方法の一つに、蓋部材に電極端子を固定するとともに、電極端子とタブ群に導電部材を接合し、電極組立体、蓋部材、電極端子、導電部材、及びタブ群を組立部材として一体化した後、組立部材に絶縁カバーを装着する方法がある（例えば特許文献１参照）。
【０００５】
特許文献１において、二次電池が備える絶縁カバーは、蓋部材と導電部材との間を絶縁する第１絶縁部と、電極端子と電極組立体との間を絶縁する第２絶縁部とを備える。また、絶縁カバーは、第２絶縁部に係止爪を備え、この係止爪は導電部材又は絶縁部材に係止している。
【０００６】
上記絶縁カバーは、組立部材の製造後に組立部材に装着される。絶縁カバーを組立部材に装着するには、電極組立体の積層方向一端側から他端側に向けて絶縁カバーを移動させ、第１絶縁部を蓋部材と導電部材との間に差し込むとともに、第２絶縁部を電極端子と電極組立体の端面との間に差し込む。そして、係止爪を、積層方向の他端側まで移動させ、積層方向他端側において導電部材又は絶縁部材の側面に係止させることで、絶縁カバーが積層方向一端側へ移動することを規制し、組立部材から絶縁カバーが抜け出ることが抑制される。
【先行技術文献】
【特許文献】
【０００７】
【特許文献１】特開２０１７−１１７６６７号公報
【発明の概要】
【発明が解決しようとする課題】
【０００８】
ところで、特許文献１に開示の絶縁カバーにおいては、絶縁カバーを積層方向一端側から他端側へ移動させると、係止爪と、積層方向一端側における絶縁部材の側面とが干渉し、絶縁カバーの装着が行いにくい。そこで、絶縁部材と係止爪との干渉を避けるため、第１絶縁部及び第２絶縁部の先端が下を向くように傾け、係止爪を絶縁部材の下側に位置させることが考えられるが、この場合には、第１絶縁部の先端が導電部材と蓋部材との間の隙間より下方に位置し、第１絶縁部を隙間に差し込みにくくなって絶縁カバーの装着が行いにくい。
【０００９】
本発明の目的は、絶縁カバーの装着性を向上できる蓄電装置を提供することにある。
【課題を解決するための手段】
【００１０】
上記問題点を解決するための蓄電装置は、正極と負極の電極が絶縁された状態で積層され、かつ各極の前記電極から突出したタブが同じ極性同士で積層されたタブ群を有する電極組立体と、前記電極組立体を収容するケース部材、及び前記ケース部材の開口部を閉塞する板状の蓋部材を有するケースと、前記蓋部材に固定され、前記電極組立体と電気を授受する各極の電極端子と、前記蓋部材の内面と、前記タブ群が存在する前記電極組立体のタブ側端面との間に配置され、同じ極性の前記タブ群と接合された電極接合部を備えるとともに、同じ極性の前記電極端子と接合された端子接合部を備える各極性の導電部材と、前記端子接合部と前記蓋部材とを絶縁する絶縁部材と、前記タブ群と前記ケース部材とを絶縁する絶縁カバーと、を備える蓄電装置であって、前記絶縁カバーは、前記電極組立体における前記電極の積層方向の一端側において前記タブ群と前記ケース部材との間に介在する板状のタブ絶縁部と、前記積層方向他端に向けて前記タブ絶縁部から突出し、かつ前記蓋部材と前記電極接合部の間に介在する第１板部と、前記第１板部よりも前記電極組立体寄りに位置し、かつ前記積層方向の他端に向けて前記タブ絶縁部から突出し、前記端子接合部を前記電極組立体側から覆う第２板部と、前記第２板部における前記端子接合部に対向する端面において、前記第２板部の突出端よりも前記積層方向に沿った前記タブ絶縁部寄りとなる位置に設けられたカバー側抜止部と、を有し、前記端子接合部又は前記絶縁部材は、前記電極組立体側の端面において、前記積層方向の一端よりも前記積層方向の他端寄りとなる位置に設けられた端子側抜止部を備え、前記カバー側抜止部と前記端子側抜止部とは凹凸の掛止関係で掛止していることを要旨とする。
【００１１】
これによれば、蓋部材、導電部材、絶縁部材、及び電極端子を一体に組み付けるとともに、電極接合部にタブ群を接合した状態で、絶縁カバーを電極組立体の積層方向一端側から他端側に向けて移動させて、絶縁カバーが装着される。絶縁カバーを移動させた時、まず、電極接合部と蓋部材との間に第１板部が入り込むが、カバー側抜止部は、第２板部の突出端よりもタブ絶縁部寄りにあるため、導電部材又は絶縁部材にカバー側抜止部が干渉しない。よって、絶縁カバーを積層方向一端側から他端側に向けて移動させる時、導電部材又は絶縁部材と、カバー側抜止部との干渉を回避するために絶縁カバーを傾ける必要がなく、絶縁カバーを傾けることで、電極接合部と蓋部材との間に第１板部を差し込むことができなくなることもない。そして、電極接合部と蓋部材との間に第１板部が入り込んだ後、絶縁カバーを積層方向の他端側に向けて移動させると、カバー側抜止部と端子側抜止部とが掛止し、絶縁カバーが積層方向一端側に抜け出ることが規制される。その結果、絶縁カバーを傾けることなく移動させるだけで、絶縁カバーを装着できる。
【００１２】
また、蓄電装置について、前記カバー側抜止部は、前記第２板部から前記第１板部に向けて突出した凸形状であり、前記端子側抜止部は、前記蓋部材に向けて凹む形状であってもよい。
【００１３】
これによれば、端子接合部又は絶縁部材に凸形状を形成する場合よりも、絶縁カバーの第２板部に凸形状を形成する方が、凸形状を形成しやすく、凹凸の掛止関係を有する端子接合部又は絶縁部材と、絶縁カバーとが製造しやすくなる。
【００１４】
また、蓄電装置について、前記カバー側抜止部は、前記積層方向に沿って前記タブ絶縁部に近付くに従い、前記端面から上り傾斜する傾斜面を備えていてもよい。
これによれば、絶縁カバーを電極組立体の積層方向一端側から他端側に向けて移動させたとき、端子接合部又は絶縁部材における積層方向一端側に傾斜面が摺接する。このため、傾斜面により第２板部を徐々に撓み変形させることができ、絶縁カバーを電極組立体の積層方向一端側から他端側に向けて移動させやすい。
【００１５】
また、蓄電装置について、前記カバー側抜止部及び前記端子側抜止部は、それぞれ前記積層方向の一端側となる位置に互いに掛止する掛止面を備える。
これによれば、電極組立体の積層方向の他端側から一端側に向けて絶縁カバーを移動させる力が作用しても、掛止面同士の掛止によって絶縁カバーが電極組立体の積層方向一端側に向けて移動することを抑止できる。
【００１６】
また、蓄電装置について、前記端子側抜止部は、前記端子接合部又は前記絶縁部材における前記電極組立体側の端面のうち、前記積層方向に沿った中間位置、又は前記中間位置よりも前記積層方向の一端寄りに位置するように設けられているのが好ましい。
【００１７】
これによれば、絶縁カバーを電極組立体の積層方向一端側から他端側に向けて移動させるとき、端子接合部又は絶縁部材における積層方向一端側にカバー側抜止部が接触してから端子側抜止部に掛止するまでの距離が短くなり、絶縁カバーの装着性が向上する。
【００１８】
また、蓄電装置について、前記積層方向に沿った前記第２板部の寸法は、前記積層方向に沿った前記端子接合部の寸法より短くてもよい。
これによれば、積層方向に沿った第２板部の寸法が短くなるほど、第２板部が第１板部に近付く方向への反りが発生しにくくなる。このため、絶縁カバーを積層方向一端側から他端側に向けて移動させた際、第２板部が端子接合部に干渉しにくくなり、絶縁カバーの装着性を向上できる。
【発明の効果】
【００１９】
本発明によれば、絶縁カバーの装着性を向上できる。
【図面の簡単な説明】
【００２０】
【図１】実施形態の二次電池を示す分解斜視図。
【図２】実施形態の二次電池を示す部分側断面図。
【図３】実施形態の二次電池内を示す正面図。
【図４】実施形態の内側絶縁部材及び導電部材を示す部分斜視図。
【図５】カバー側抜止部と端子側抜止部の掛止箇所を示す拡大図。
【図６】絶縁カバーを蓋端子組立体に装着する状態を示す側断面図。
【図７】絶縁カバーを蓋端子組立体に装着する状態を示す側断面図。
【図８】別例のカバー側抜止部及び端子側抜止部を示す側断面図。
【図９】別例のカバー側抜止部及び端子側抜止部を示す拡大図。
【図１０】別例の絶縁カバーを示す斜視図。
【図１１】別例の絶縁カバーを示す側断面図。
【発明を実施するための形態】
【００２１】
以下、蓄電装置を二次電池に具体化した一実施形態を図１〜図７にしたがって説明する。
図１及び図２に示すように、蓄電装置としての二次電池１０はケース１１を備え、ケース１１には電極組立体１２が収容されている。ケース１１は、電極組立体１２を収容する四角箱状のケース部材１４と、このケース部材１４の開口部１４ａを閉塞する矩形平板状の蓋部材１５とを有している。なお、本実施形態の二次電池１０はリチウムイオン電池である。蓋部材１５は、ケース部材１４の開口部１４ａの周縁に支持される矩形平板状の天板１５ａと、天板１５ａからケース部材１４に向けて突出する矩形状の嵌合部１５ｂとを有する。嵌合部１５ｂは、ケース部材１４の開口部１４ａからケース部材１４の内側に嵌合される。そして、天板１５ａの周縁とケース部材１４における開口部１４ａの周縁とが溶接されてケース部材１４と蓋部材１５が一体化されている。
【００２２】
電極組立体１２は、シート状の複数の正極電極２１とシート状の複数の負極電極２２とを備え、正極電極２１と負極電極２２とは異なる極性の電極である。詳細に図示しないが、正極電極２１は、正極金属箔（本実施形態ではアルミニウム箔）と、その正極金属箔の両面に存在する正極活物質層とを有する。負極電極２２は、負極金属箔（本実施形態では銅箔）と、その負極金属箔の両面に存在する負極活物質層とを有する。そして、電極組立体１２は、複数の正極電極２１と複数の負極電極２２とが、セパレータ２３によって互いに絶縁された状態で積層された積層型である。正極電極２１と負極電極２２が積層された方向を電極組立体１２の積層方向とする。
【００２３】
正極電極２１は、正極電極２１の一辺２１ａの一部から突出した形状のタブ２５を有する。負極電極２２は、負極電極２２の一辺２２ａの一部から突出した形状のタブ２６を有する。複数の正極のタブ２５、及び複数の負極のタブ２６は、正極電極２１及び負極電極２２が積層された状態で、正極のタブ２５と負極のタブ２６とが重ならない位置にそれぞれ設けられている。
【００２４】
電極組立体１２は、タブ側端面１２ａを備える。タブ側端面１２ａは、正極電極２１の一辺２１ａ、負極電極２２の一辺２２ａ、及びセパレータ２３の一辺を寄せ集めて形成されている。電極組立体１２を構成する各正極電極２１は、それぞれのタブ２５が積層方向に沿って列状に配置されるように積層される。同様に、電極組立体１２を構成する各負極電極２２は、それぞれのタブ２６が積層方向に沿って列状に配置されるように積層される。
【００２５】
電極組立体１２は、正極電極２１から突出した正極のタブ２５が積層された正極のタブ群２７を有し、このタブ群２７は、全ての正極のタブ２５を電極組立体１２における積層方向の一端側に寄せ集め、積層して構成されている。また、電極組立体１２は、負極電極２２から突出した負極のタブ２６が積層されたタブ群２７を有し、このタブ群２７は、全ての負極のタブ２６を積層して構成されている。各極のタブ群２７は、積層方向一端側に各タブ２５，２６の先端が位置するように折り曲げられている。電極組立体１２及びタブ群２７は、絶縁フィルムＦによって覆われている。絶縁フィルムＦは、正極及び負極のタブ群２７を積層方向両側から覆っている。
【００２６】
図３及び図４に示すように、正極のタブ群２７には、電極組立体１２と、後述の正極端子構造１６とを電気的に接続するための導電部材２８が接合されている。また、負極のタブ群２７には、電極組立体１２と、後述の負極端子構造１７とを電気的に接続するための導電部材２８が接合されている。導電部材２８は、蓋部材１５の内面と、電極組立体１２のタブ側端面１２ａとの間に配置されている。
【００２７】
正極及び負極の導電部材２８の長手は、蓋部材１５の長手方向へ延びる。また、導電部材２８は、クランク状であり、各極性の導電部材２８の短手は、電極組立体１２の積層方向へ延びる。正極及び負極の導電部材２８は、同じ極性のタブ群２７と接合された電極接合部２８ａを長手方向一端側に備える。また、正極及び負極の導電部材２８は、同じ極性の引出端子２９と接続される平板状の端子接合部２８ｂを長手方向他端側に備えるとともに、電極接合部２８ａと端子接合部２８ｂを繋ぐ連繋部２８ｃを備える。連繋部２８ｃにより、端子接合部２８ｂは、電極接合部２８ａよりも電極組立体１２寄りに位置している。導電部材２８の短手方向に沿った電極接合部２８ａ、端子接合部２８ｂ及び連繋部２８ｃの寸法はいずれも同じである。そして、導電部材２８は、蓋部材１５の内面と、各極性のタブ群２７が存在する電極組立体１２のタブ側端面１２ａとの間に配置されている。
【００２８】
次に、正極端子構造１６及び負極端子構造１７を説明する。なお、正極端子構造１６と負極端子構造１７は基本的に同じ構成であるため、共通の部材については、同じ部材番号を使用して説明する。
【００２９】
正極端子構造１６及び負極端子構造１７は、それぞれ蓋部材１５に固定された電極端子としての引出端子２９を備える。引出端子２９は、各極性において導電部材２８の端子接合部２８ｂと電気的に接続され、電極組立体１２と電気を授受する。引出端子２９は、蓋部材１５より外側に突出している。正極端子構造１６及び負極端子構造１７は、蓋部材１５の外側で引出端子２９と電気的に接続された端子接合部材３０を備える。正極端子構造１６及び負極端子構造１７は、蓋部材１５の外側で、端子接合部材３０と電気的に接続された外部接続端子３１を備える。正極端子構造１６及び負極端子構造１７は、端子接合部材３０及び外部接続端子３１を蓋部材１５から絶縁する外側絶縁部材３２を蓋部材１５の外面に備える。
【００３０】
図４に示すように、正極端子構造１６及び負極端子構造１７は、ケース１１の内側で引出端子２９及び端子接合部２８ｂを蓋部材１５から絶縁する絶縁部材としての内側絶縁部材３３を備える。内側絶縁部材３３は矩形板状である。内側絶縁部材３３は、電極組立体１２のタブ側端面１２ａから蓋部材１５に向けて凹む収容凹部３４を備える。収容凹部３４は、内側絶縁部材３３の四側面のうち、電極接合部２８ａ寄りの側面にて開口している。そして、収容凹部３４に端子接合部２８ｂのほぼ全体が収容され、内側絶縁部材３３におけるタブ側端面１２ａ寄りの端面３３ａと、端子接合部２８ｂにおけるタブ側端面１２ａ寄りの端面とが面一になっている。また、端子接合部２８ｂの一部、連繋部２８ｃ及び電極接合部２８ａが内側絶縁部材３３における端子接合部２８ｂ寄りの側面から突出している。
【００３１】
次に、ケース１１内に設けられた樹脂製の絶縁カバー３５について説明する。
図１及び図２に示すように、絶縁カバー３５は、正極及び負極の導電部材２８に対し、積層方向の一端側から装着されている。絶縁カバー３５は、矩形板形状のタブ絶縁部３６を備える。タブ絶縁部３６は、積層方向一端側に位置する両極のタブ群２７の先端側を積層方向の外側から覆い、両極のタブ群２７の先端側とケース部材１４とを絶縁する。よって、タブ絶縁部３６は、積層方向の一端側において、タブ群２７とケース部材１４との間に介在する。
【００３２】
絶縁カバー３５は、蓋部材１５の長手方向に延びるタブ絶縁部３６の一対の長縁部のうち、蓋部材１５寄りの長縁部から積層方向他端に向けて突出した第１板部３７を備える。第１板部３７は、両極の導電部材２８の電極接合部２８ａと蓋部材１５との間に介在し、両者を絶縁する。絶縁カバー３５の第１板部３７は、両極の電極接合部２８ａに支持されている。
【００３３】
絶縁カバー３５は、タブ絶縁部３６の一対の長縁部のうち、電極組立体１２寄りの長縁部の両端部から積層方向他端に向けて突出した一対の第２板部３８を備える。一方の第２板部３８は、正極端子構造１６における端子接合部２８ｂと、タブ側端面１２ａとの間に介在し、端子接合部２８ｂの一部を電極組立体１２側から覆う。他方の第２板部３８は、負極端子構造１７における端子接合部２８ｂと、タブ側端面１２ａとの間に介在し、端子接合部２８ｂの一部を電極組立体１２側から覆う。
【００３４】
絶縁カバー３５において、タブ絶縁部３６からの第１板部３７の突出方向へ寸法と、タブ絶縁部３６からの第２板部３８の突出方向への寸法とを比べると、第１板部３７の突出方向への寸法は、第２板部３８の突出方向への寸法より短い。そして、絶縁カバー３５において、タブ絶縁部３６の短手方向を高さ方向とすると、絶縁カバー３５を長手方向に見た側面視では、第１板部３７の突出端の位置と第２板部３８の突出端の位置は高さ方向に揃っていない。
【００３５】
各第２板部３８は、端子接合部２８ｂ及び内側絶縁部材３３に対向する平坦面に第１端面３８ｂを有し、第１端面３８ｂに平行な平坦面に第２端面３８ｃを備える。絶縁カバー３５は、各第２板部３８の第１端面３８ｂのうち、積層方向に沿った突出端３８ａよりもタブ絶縁部３６寄りとなる位置にカバー側抜止部４０を備える。カバー側抜止部４０は、各第２板部３８の第１端面３８ｂから第１板部３７に向けて突出した凸形状である。
【００３６】
カバー側抜止部４０は、第２板部３８の第１端面３８ｂのうち、積層方向に沿った中間位置よりも一端寄り（タブ絶縁部３６寄り）となる位置に配設されている。また、各カバー側抜止部４０は、各第２板部３８の第１端面３８ｂのうち、絶縁カバー３５の長手方向に沿った第１板部３７寄りの位置に配設されている。
【００３７】
図５に示すように、各カバー側抜止部４０は、積層方向に沿って他端（突出端３８ａ）から一端（タブ絶縁部３６）に向かうに従い第１端面３８ｂから上り傾斜するガイド面４０ａを備える。また、各カバー側抜止部４０は、その頂端４０ｂと、第２板部３８の第１端面３８ｂとを繋ぐ掛止面４０ｃを備える。よって、各カバー側抜止部４０は、積層方向一端側となる部位が掛止面４０ｃであり、掛止面４０ｃよりも積層方向他端側となる部位がガイド面４０ａとなる。
【００３８】
ここで、第２板部３８の第１端面３８ｂに沿って積層方向に延びる第１仮想面Ｈ１を設定し、掛止面４０ｃに沿って延びる第２仮想面Ｈ２を設定する。掛止面４０ｃと第１端面３８ｂとの間に形成される角度であり、第１仮想面Ｈ１と第２仮想面Ｈ２との間に形成される角度をθ１とする。掛止面４０ｃは、角度θ１が鋭角となるように形成されている。したがって、カバー側抜止部４０は、積層方向に沿って他端（突出端３８ａ）から一端（タブ絶縁部３６）に向かうに従い、第１板部３７に向けて徐々に突出する形状である。
【００３９】
カバー側抜止部４０において、第１端面３８ｂから頂端４０ｂまでの寸法を高さｈとする。また、第２板部３８において、第１端面３８ｂと第２端面３８ｃとを最短距離で結ぶ直線の寸法を厚みＤとする。カバー側抜止部４０の高さｈの値は、第２板部３８の厚みＤの値より小さい。
【００４０】
上記構成を有する絶縁カバー３５は、電極組立体１２の積層方向一端から他端に向けて移動させて第１板部３７を電極接合部２８ａに支持させて装着される。絶縁カバー３５の一対のカバー側抜止部４０のうち、一方のカバー側抜止部４０は、正極の導電部材２８の端子接合部２８ｂに形成された端子側抜止部４１に掛止し、他方のカバー側抜止部４０は、負極の導電部材２８の端子接合部２８ｂに形成された端子側抜止部４１に掛止している。
【００４１】
図２及び図４に示すように、正極及び負極の導電部材２８は、端子接合部２８ｂに端子側抜止部４１を備える。ここで、端子接合部２８ｂにおいて、蓋部材１５側の面を第１端面２８ｄとし、第１端面２８ｄと平行で、かつ電極組立体１２側の面を第２端面２８ｅとすると、端子側抜止部４１は、端子接合部２８ｂの第２端面２８ｅを蓋部材１５に向けて凹ませて形成されている。端子側抜止部４１は、端子接合部２８ｂの厚み内に設けられている。
【００４２】
図５に示すように、端子接合部２８ｂの第１端面２８ｄと第２端面２８ｅとを最短距離で結ぶ直線の延びる方向を厚み方向とし、厚み方向に沿った端子接合部２８ｂの断面視では、端子側抜止部４１は三角形状に凹む。端子側抜止部４１は、端子接合部２８ｂの第２端面２８ｅのうち、積層方向の一端よりも他端寄りに設けられ、具体的には積層方向に沿った端子接合部２８ｂ（導電部材２８）の中間位置よりも積層方向一端側に設けられている。
【００４３】
また、端子側抜止部４１は、その内側面のうち、積層方向他端側に位置する内側面にガイド面４１ａを備える。端子側抜止部４１は、その内側面のうち、積層方向一端側に位置する内側面に掛止面４１ｃを備える。掛止面４１ｃは、ガイド面４１ａの頂端４１ｂに繋がり、かつ第２端面２８ｅに交差する。ここで、端子接合部２８ｂの第２端面２８ｅに沿って積層方向に延びる第３仮想面Ｈ３を設定し、掛止面４１ｃに沿って延びる第４仮想面Ｈ４を設定する。
【００４４】
掛止面４１ｃと第２端面２８ｅとの間に形成される角度であり、第３仮想面Ｈ３と第４仮想面Ｈ４との間に形成される角度をθ２とすると、角度θ２は、カバー側抜止部４０における掛止面４０ｃの角度θ１と略同じである。そして、掛止面４１ｃは、角度θ２が鋭角となるように形成されている。
【００４５】
第１板部３７の突出端を電極接合部２８ａに載せ、そのまま積層方向他端に向けて絶縁カバー３５を移動させると、カバー側抜止部４０のガイド面４０ａが端子接合部２８ｂの一端縁に摺接する。その後、カバー側抜止部４０が端子側抜止部４１に入り込むと、カバー側抜止部４０の掛止面４０ｃと、端子側抜止部４１の掛止面４１ｃとが接触し、掛止箇所が形成される。その結果、カバー側抜止部４０と端子側抜止部４１によって凹凸の掛止関係が形成され、絶縁カバー３５の積層方向一端に向けた移動が規制されるようになっている。
【００４６】
次に、二次電池１０の製造方法を作用とともに記載する。
まず、蓋部材１５に、引出端子２９、端子接合部材３０、外部接続端子３１、外側絶縁部材３２、及び内側絶縁部材３３が組付けられ、蓋端子組立体２０が製造される。この蓋端子組立体２０において、蓋部材１５と、正極及び負極の電極接合部２８ａとの間に隙間が存在している。そして、正極の導電部材２８の電極接合部２８ａに対し、電極組立体１２の正極のタブ群２７が溶接によって接合され、負極の導電部材２８の電極接合部２８ａに対し、負極のタブ群２７が溶接によって接合される。
【００４７】
図６に示すように、電極組立体１２の積層方向一端側から他端側に向けて絶縁カバー３５を積層方向と平行に移動させる。蓋部材１５と電極接合部２８ａとの間に第１板部３７を差し込む。第１板部３７の突出端を電極接合部２８ａに載せた状態では、カバー側抜止部４０は、積層方向の一端側に位置した電極接合部２８ａの端縁に接触せず、電極接合部２８ａから離れている。このため、蓋部材１５と電極接合部２８ａとの間に第１板部３７を差し込んだ時点で、カバー側抜止部４０が端子接合部２８ｂに接触しない。
【００４８】
その後、蓋部材１５と電極接合部２８ａとの間に第１板部３７がさらに差し込まれると、カバー側抜止部４０のガイド面４０ａが端子接合部２８ｂの端縁に摺接しながら絶縁カバー３５が積層方向他端側に移動する。
【００４９】
その後、図７に示すように、カバー側抜止部４０の頂端４０ｂが、端子接合部２８ｂの第２端面２８ｅに摺接する。このとき、各第２板部３８が電極組立体１２に向けて撓むように弾性変形する。そして、絶縁カバー３５が積層方向他端側に移動し、カバー側抜止部４０が端子側抜止部４１に向けて移動していき、カバー側抜止部４０が端子側抜止部４１に到達すると、弾性変形していた第２板部３８が原形状に復帰する。
【００５０】
すると、図２に示すように、カバー側抜止部４０が端子側抜止部４１に入り込む。カバー側抜止部４０が端子側抜止部４１に入り込んだ状態では、第１板部３７が電極接合部２８ａに支持された状態となる。そして、カバー側抜止部４０の掛止面４０ｃが、端子側抜止部４１の掛止面４１ｃに掛止し、凹凸の掛止箇所が形成される。
【００５１】
すると、掛止面４０ｃ，４１ｃ同士の掛止により、絶縁カバー３５が積層方向一端側に移動することが規制され、蓋端子組立体２０から絶縁カバー３５が抜け出ることが規制される。そして、電極組立体１２をケース部材１４の開口部１４ａからケース部材１４内に挿入する。電極組立体１２がケース部材１４内に挿入された後、蓋部材１５をケース部材１４の開口端に接合すると、二次電池１０が組み立てられる。
【００５２】
上記実施形態によれば、以下のような効果を得ることができる。
（１）絶縁カバー３５のカバー側抜止部４０を、第２板部３８の突出端３８ａよりもタブ絶縁部３６寄りに設けた。このため、電極接合部２８ａに第１板部３７の突出端が支持された時点では、カバー側抜止部４０は、当該カバー側抜止部４０が掛止することとなる端子接合部２８ｂに干渉しない。よって、絶縁カバー３５を装着する時、端子接合部２８ｂと、カバー側抜止部４０との干渉を回避するために絶縁カバー３５を傾ける必要がなく、絶縁カバー３５を傾けることで、電極接合部２８ａと蓋部材１５との間に第１板部３７を差し込むことができなくなることもないため、絶縁カバー３５の装着性が向上する。
【００５３】
（２）絶縁カバー３５の装着が完了した時点でカバー側抜止部４０が掛止する位置に端子側抜止部４１を設けた。このため、カバー側抜止部４０と端子側抜止部４１とが掛止し、絶縁カバー３５が積層方向一端側に抜け出ることが規制される。その結果、絶縁カバー３５を傾けることなく移動させるだけで、絶縁カバー３５を装着できる。
【００５４】
（３）カバー側抜止部４０は、そのカバー側抜止部４０にガイド面４０ａを備える。ガイド面４０ａは、第１板部３７を差し込む方向の先に向かうに従いカバー側抜止部４０の頂端４０ｂから下り傾斜する形状である。そして、絶縁カバー３５を移動させたとき、端子接合部２８ｂにおける積層方向一端側の端縁にガイド面４０ａが摺接する。このため、ガイド面４０ａにより第２板部３８を徐々に撓み変形させることができ、絶縁カバー３５を移動させやすい。また、端子接合部２８ｂにおける積層方向一端側の端縁にガイド面４０ａが摺接するため、カバー側抜止部４０が端子接合部２８ｂの端縁に引っ掛かって、絶縁カバー３５の移動が妨げられることを抑止できる。
【００５５】
（４）カバー側抜止部４０及び端子側抜止部４１は、それぞれ積層方向の一端側寄りの部位に互いに掛止する掛止面４０ｃ，４１ｃを備える。そして、各掛止面４０ｃ，４１ｃは、カバー側抜止部４０及び端子側抜止部４１において、積層方向一端側に位置する。このため、電極組立体１２の積層方向の一端側から他端側に向けて絶縁カバー３５を移動させる力が作用しても、掛止面４０ｃ，４１ｃ同士の掛止によって絶縁カバー３５が電極組立体１２の積層方向一端側に向けて移動することを抑止できる。
【００５６】
（５）カバー側抜止部４０は第２板部３８から第１板部３７に向けて突出した凸形状であり、端子側抜止部４１は端子接合部２８ｂから蓋部材１５に向けて凹む形状である。例えば、端子接合部２８ｂに凸形状を形成する場合よりも、絶縁カバー３５の第２板部３８に凸形状を形成する方が、凸形状を形成しやすく、凹凸の掛止関係を有する導電部材２８及び絶縁カバー３５が製造しやすくなる。
【００５７】
（６）端子側抜止部４１は、端子接合部２８ｂの第２端面２８ｅのうち、積層方向に沿った中間位置よりも積層方向一端寄りに位置するように設けられている。このため、絶縁カバー３５を電極組立体１２の積層方向一端側から他端側に向けて移動させるとき、端子接合部２８ｂにおける積層方向一端側にカバー側抜止部４０が接触してから端子側抜止部４１に掛止するまでの距離が短くなり、絶縁カバー３５の装着性が向上する。
【００５８】
（７）タブ絶縁部３６からの第１板部３７の突出方向へ寸法は、タブ絶縁部３６からの第２板部３８の突出方向への寸法より短い。このような絶縁カバー３５において、第２板部３８の突出端３８ａにカバー側抜止部４０が形成されていると、絶縁カバー３５を電極接合部２８ａに載せた時点では、カバー側抜止部４０が端子接合部２８ｂに確実に干渉する。しかし、カバー側抜止部４０の位置を変更することにより、第２板部３８と端子接合部２８ｂが干渉することを回避できる。
【００５９】
なお、上記実施形態は以下のように変更してもよい。
○  図８又は図９に示すように、絶縁カバー３５のカバー側抜止部４０は、第２板部３８の第１端面３８ｂから凹む形状であり、端子側抜止部４１は、端子接合部２８ｂの第２端面２８ｅから突出する凸形状であってもよい。
【００６０】
この場合、カバー側抜止部４０のガイド面４０ａは、カバー側抜止部４０における積層方向一端側に位置し、掛止面４０ｃは、ガイド面４０ａよりも積層方向他端側に位置する。そして、ガイド面４０ａは、積層方向に沿って突出端３８ａに近付くに従い、第１端面３８ｂから下り傾斜する。
【００６１】
端子側抜止部４１のガイド面４１ａは、端子側抜止部４１における積層方向一端側に位置し、掛止面４１ｃはガイド面４１ａよりも積層方向他端側に位置する。そして、ガイド面４１ａは、端子接合部２８ｂにおける積層方向の他端側の端縁に近付くに従い、第２端面２８ｅから下り傾斜する。
【００６２】
○  図１０及び図１１に示すように、各第２板部３８において、積層方向に沿った寸法を実施形態より短くしてもよい。この場合、積層方向に沿った第２板部３８の寸法は、同じく積層方向に沿った端子接合部２８ｂの寸法より短くする。そして、カバー側抜止部４０は、第２板部３８の突出端３８ａよりも僅かにタブ絶縁部３６寄りの位置に設けられている。
【００６３】
また、この形態において、絶縁カバー３５は、各第２板部３８よりも長手方向中央寄りに板状のタブ被覆部３９を備えていてもよい。タブ被覆部３９は、積層方向他端に向けてタブ絶縁部３６から突出する。そして、タブ被覆部３９は、タブ群２７を電極組立体１２側から覆う。この場合、カバー側抜止部４０は、絶縁カバー３５の長手方向に沿った第２板部３８とタブ被覆部３９との間に位置している。なお、タブ被覆部３９は無くてもよい。
【００６４】
このように構成した場合、積層方向に沿った第２板部３８の寸法が短くなるほど、各第２板部３８について、突出端３８ａが第１板部３７に近付く方向への反りが発生しにくくなる。このため、絶縁カバー３５を積層方向一端側から他端側に移動させた際、第２板部３８の突出端３８ａが端子接合部２８ｂ又は内側絶縁部材３３に干渉しにくくなり、絶縁カバー３５の装着性を向上できる。なお、積層方向に沿った第２板部３８の寸法は、同じく積層方向に沿った端子接合部２８ｂの寸法より短ければ、適宜変更してもよい。
【００６５】
○  端子側抜止部４１は、端子接合部２８ｂの第２端面２８ｅのうち、積層方向に沿った中間位置に位置するように設けられていてもよいし、積層方向に沿った中間位置よりも他端寄りに位置するように設けられていてもよい。
【００６６】
○  カバー側抜止部４０の掛止面４０ｃ及び端子側抜止部４１の掛止面４１ｃの角度θ１，θ２は、９０度であってもよいし、端子側抜止部４１とカバー側抜止部４０との掛止状態を維持できれば、鈍角であってもよい。
【００６７】
○  カバー側抜止部４０において、積層方向他端側に位置するガイド面４０ａは傾斜面でなく、円弧面でもよいし、端子側抜止部４１において、積層方向他端側に位置するガイド面４１ａは傾斜面でなく、円弧状でもよいし、角張った形状であってもよい。
【００６８】
○  カバー側抜止部４０の形状は変更せず、端子側抜止部４１の形状のみを変更してもよい。実施形態では、端子側抜止部４１は、端子接合部２８ｂの厚み方向に沿った断面視が三角形状であったが、カバー側抜止部４０が入り込んで掛止ができれば、断面四角形状や断面半円状等に適宜変更してもよい。
【００６９】
○  内側絶縁部材３３の端面３３ａに端子側抜止部４１を形成し、端子側抜止部４１に合わせてカバー側抜止部４０を位置を変更して、内側絶縁部材３３に掛止させてもよい。
○  カバー側抜止部４０は、各第２板部３８の第１端面３８ｂのうち絶縁カバー３５の長手方向に沿った第１板部３７寄りの位置以外に配置されていてもよく、例えば、カバー側抜止部４０は、各第２板部３８の第１端面３８ｂのうち、絶縁カバー３５の長手方向の両端となる位置や、各第２板部３８の中央に配置されていてもよい。そして、カバー側抜止部４０の位置に応じて、そのカバー側抜止部４０に掛止できるように、端子接合部２８ｂに形成される端子側抜止部４１の位置も変更される。
【００７０】
○  正極電極２１及び負極電極２２は、金属箔の片面に活物質層が存在する構造でもよい。
○  蓄電装置は、例えばキャパシタなど、二次電池以外の蓄電装置にも適用可能である。
【００７１】
○  二次電池１０は、リチウムイオン二次電池以外の他の二次電池であってもよい。要は、正極用の活物質と負極用の活物質との間をイオンが移動するとともに電荷の享受を行うものであればよい。
【００７２】
○  二次電池１０は、電極組立体１２の積層方向一端側に配置される絶縁カバー３５だけでなく、電極組立体１２の積層方向他端側に配置される絶縁カバーを備えていてもよい。
【００７３】
次に、上記実施形態及び別例から把握できる技術的思想について以下に追記する。
（１）前記カバー側抜止部は、前記第２板部から前記第１板部に向けて凹む形状であり、前記端子側抜止部は、前記電極組立体に向けて突出する凸形状である蓄電装置。
【００７４】
（２）前記カバー側抜止部は、積層方向に沿って前記第２板部の前記突出端に近付くに従い、前記端面から下り傾斜する傾斜面を備える蓄電装置。
【符号の説明】
【００７５】
１０…蓄電装置としての二次電池、１１…ケース、１２…電極組立体、１２ａ…タブ側端面、１４…ケース部材、１４ａ…開口部、１５…蓋部材、２１…正極電極、２２…負極電極、２５，２６…タブ、２７…タブ群、２８…導電部材、２８ａ…電極接合部、２８ｂ…端子接合部、２９…電極端子としての引出端子、３３…絶縁部材としての内側絶縁部材、３５…絶縁カバー、３６…タブ絶縁部、３７…第１板部、３８…第２板部、３８ａ…突出端、４０…カバー側抜止部、４０ａ…傾斜面としてのガイド面、４０ｃ…掛止面、４１…端子側抜止部、４１ａ…傾斜面としてのガイド面、４１ｃ…掛止面。
【図１】
2019121586.tif 000003
【図２】
2019121586.tif 000004
【図３】
2019121586.tif 000005
【図４】
2019121586.tif 000006
【図５】
2019121586.tif 000007
【図６】
2019121586.tif 000008
【図７】
2019121586.tif 000009
【図８】
2019121586.tif 000010
【図９】
2019121586.tif 000011
【図１０】
2019121586.tif 000012
【図１１】
2019121586.tif 000013